(57)【要約】【課題】ピザを均等に切り分けようとする際に、ピザの中央から放射状に伸びる各切り込み線が成す角度を等しくし、ピザを略均等に切り分けることができるピザカッターを提供する。【解決手段】把持部と、把持部の先端部に軸止めされた円盤刃から成り、前記把持部は内部に収納部が設けられ、収納部には複数の目盛駒が取り出し可能に収められており、目盛駒は円柱形状をしており、少なくとも上下円形面のいずれかに中心より等角度放射状に複数の目盛線が引かれ、目盛線の本数は各目盛駒毎に異なることを特徴とする角度目盛付きピザカッター。【選択図】図１
2018126477.tif 000002
【特許請求の範囲】
【請求項１】
把持部と、把持部の先端部に軸止めされた円盤刃から成り、前記把持部は内部に収納部が設けられ、収納部には複数の目盛駒が取り出し可能に収められており、目盛駒は円柱形状をしており、少なくとも上下円形面のいずれかに中心より等角度放射状に複数の目盛線が引かれ、目盛線の本数は各目盛駒毎に異なることを特徴とする角度目盛付きピザカッター。
【請求項２】
前記収納部は、円筒形状をした把持部の内部の空間により形成され、前記目盛駒は収納部としての円筒形状をした把持部の内部に１列に収納されていることを特徴とする請求項１に記載の角度目盛付きピザカッター。
【請求項３】
前記の円筒形状をした把持部が透明な材質でできており、前記目盛駒はその円柱側面に各目盛駒の目盛線の本数、即ち切り分け数と一致する数字が書かれていることを特徴とする請求項２に記載の角度目盛付きピザカッター。
【請求項４】
前記把持部が円柱形状をしており、その円柱側面において、円柱軸方向に等分された複数の区域の各区域の円柱側面に等間隔を隔てて円柱軸方向に複数の目盛線が引かれ、前記目盛線の本数は各区域毎に異なり、各区域の一箇所にその本数、即ち切り分け数と一致する数字が書かれていることを特徴とする請求項１に記載の角度目盛付きピザカッター。
【発明の詳細な説明】
【技術分野】
【０００１】  本発明は、把持部に角度目盛を設けたピザカッターに関するものである。
【背景技術】
【０００２】  従来、ピザ等の円形の食品を切り分けるために、一般的には円盤刃を棒状の把持部の先端部に回動自在に軸止めしたピザカッターが用いられており、円盤刃をピザに押し当てて転がすことでピザを切断することができる。
【発明の概要】
【発明が解決しようとする課題】
【０００４】  しかしながら、従来のピザカッターには次のような問題があった。
一般的にピザを切断する場合は、ピザの中央から放射状に伸びる線に沿って切断を行うが、目測に従ってピザを切断する必要があるため、放射状の各切り込み線が成す角度を等しくすることが難しく、ピザを均等に切り分けることが難しかった。特に５等分や７等分など、ピザを奇数等分に切り分けることは非常に困難であった。
本発明は、これらの問題点を解決するためになされたものである。
【課題を解決するための手段】
【０００５】  本発明は、把持部と、把持部の先端部に軸止めされた円盤刃から成り、前記把持部は内部に収納部が設けられ、収納部には複数の目盛駒が取り出し可能に収められており、目盛駒は円柱形状をしており、少なくとも上下円形面のいずれかに中心より等角度放射状に複数の目盛線が引かれ、目盛線の本数は各目盛駒毎に異なることを実施例１の第一の特徴とする角度目盛付きピザカッターである。
また前記収納部は、円筒形状をした把持部の内部の空間により形成され、前記目盛駒は収納部としての円筒形状をした把持部の内部に１列に収納されていることを実施例１の第二の特徴とする。
また前記の円筒形状をした把持部が透明な材質でできており、前記目盛駒はその円柱側面に各目盛駒の目盛線の本数、即ち切り分け数と一致する数字が書かれていることを実施例１の第三の特徴とする。
また前記把持部が円柱形状をしており、その円柱側面において、円柱軸方向に等分された複数の区域の各区域の円柱側面に等間隔を隔てて円柱軸方向に複数の目盛線が引かれ、前記目盛線の本数は各区域毎に異なり、各区域の一箇所にその本数、即ち切り分け数と一致する数字が書かれていることを実施例２の特徴とする。
【発明の効果】
【０００６】  本発明の実施例１の第一の特徴によれば、ピザを均等に切り分けようとする際に、収納部より切り分けたい個数と一致した本数の目盛線が引かれた目盛駒を取り出してピザの中央部に置き、放射状に引かれた前記目盛線の延長上のピザの縁部に円盤刃で切り込みを入れ、目盛駒を取り外した後に目盛駒を置いていた場所の跡とピザの縁部の各切り込みを結んだ仮想線に沿ってピザを円盤刃で切断することで、ピザを略均等に切り分けることができる。
本発明の実施例１の第二の特徴によれば、把持部内の容積を収納部として効率的に利用でき、外観を一般的なピザカッターと同様とすることができる。
本発明の実施例１の第三の特徴によれば、把持部内に収納された目盛駒はそれぞれ何本の目盛線が引かれたものであるか、またそれらがどの順番で収納されているかが予め目視で確認できるため、目盛駒の取り出し作業がし易い。
本発明の実施例２の特徴によれば、ピザを均等に切り分けようとする際に、円盤刃を下側としてピザカッターを垂直に立てた状態で、切り分けたい個数と一致した本数の目盛線が引かれた区域の目盛線のうちの１本の方向を使用者に対して正面に向け、そのまま円盤刃をピザに押し当ててピザの中心を通る切り込みを入れ、次に現在正面を向いている目盛線の１つ隣りの目盛線の方向を正面に向け、前記同様にピザの中心を通る切り込みを入れ、これを繰り返してピザの中心から伸びる放射状の切り込みを入れ、これを延長した仮想線に沿ってピザを円盤刃で切断することで、ピザを略均等に切り分けることができる。
【図面の簡単な説明】
【０００７】
【図１】  本発明の実施例１の正面図
【図２】  本発明の実施例１における目盛駒の斜視図
【図３】  本発明の実施例１を用いてピザの縁部に円盤刃で切り込みを入れた状態を示す斜視図
【図４】  本発明の実施例１を用いてピザを切断した状態を示す斜視図
【図５】  本発明の実施例２の斜視図
【図６】  本発明の実施例２を用いてピザの中心部に円盤刃で切り込みを入れた状態を示す斜視図
【発明を実施するための形態】
【実施例１】
【０００８】  図１は本発明の実施例１のピザカッターの正面図である。本ピザカッターは把持部（１）と、円盤刃（２）から成る。また前記把持部（１）は、グリップ部（３）と、支持部（４）と、蓋（５）から成り、グリップ部（３）は透明な材質でできていて円筒形状をしている。支持部（４）はグリップ部（３）の片側の端部に取り付けられ前記円盤刃（２）を回動自在に軸止めできる。蓋（５）はグリップ部（３）のもう片側の端部に着脱自在に取り付けられグリップ部（３）の円形穴を塞ぐことができる。前記円盤刃（２）は前記支持部（４）に回動自在に軸止めされている。前記把持部（１）内には、前記グリップ部（３）と前記支持部（４）と前記蓋（５）によってできる円柱形状の空間から成る収納部（６）が設けられている。収納部（６）には複数の目盛駒（７）が１列に収納されており、前記蓋（５）を取り外すことで収納部（６）からの取り出しが可能である。図２に示すように、前記目盛駒（７）は円柱形状をしており、少なくとも上下円形面のいずれかに、中心より等角放射状に複数の目盛線（８）が引かれているが、その本数は各目盛駒毎に異なり、図２は目盛線（８）の本数が６本である目盛駒（７）の例を示す。前記目盛線（８）の本数は通常ピザを切り分ける必要が生じる個数に対応しており、例えば４本から１０本とすれば目盛駒（７）の個数は７個となるが、目盛駒（７）の２つの円形面にそれぞれ異なる本数の目盛線を引くことで目盛駒（７）の数を削減してもよい。また４個や８個など、ピザを略均等に切り分け易い個数に対応する目盛駒は省略してもよい。前記の目盛駒（７）はその円形面、および円柱側面に各目盛駒の目盛線（８）の本数、即ち切り分け数と一致する数字が書かれている。
本ピザカッターを用いてピザを均等に切り分けようとする際は、図３に示すように、前記収納部（６）より切り分けたい個数と一致した本数の目盛線（８）が引かれた目盛駒（７）を取り出してピザ（９）の中央部に置き、放射状に引かれた前記目盛線（８）の延長上のピザ（９）の縁部に円盤刃で切り込み（１０）を入れる。次に、図４に示すように、目盛駒（７）を取り外した後に目盛駒（７）を置いていた場所の跡（１１）とピザ（９）の縁部の各切り込み（１０）を結んだ仮想線に沿ってピザ（９）を円盤刃（２）で切断することで、ピザ（９）を略均等に切り分けることができる。また前記収納部（６）より目盛駒（７）を取り出す際は、前記グリップ部（３）が透明な材質でできていることから目盛駒（７）の側面に書かれた数字を外部より視認することができる。よって把持部（１）内に収納された目盛駒（７）はそれぞれ何本の目盛線（８）が引かれたものであるか、またそれらがどの順番で収納されているかが予め目視で確認できるため、目盛駒（７）の取り出し作業がし易い。また前記目盛駒（７）は、ケーキ等厚さが大きい円形の食品を切り分ける際の角度目盛として使用してもよい。その場合、実際の切断作業は本ピザカッターの円盤刃（２）でなく、別途用意したナイフ等を用いる。
【実施例２】
【０００９】  図５は本発明の実施例２のピザカッターの斜視図である。本ピザカッターは把持部（１）と、円盤刃（２）から成る。また前記把持部（１）は、円柱形状のグリップ部（３）と、支持部（４）から成り、支持部（４）はグリップ部（３）の片側の端部に取り付けられ、前記円盤刃（２）を回動自在に軸止めしている。前記グリップ部（３）の円柱側面において、円柱軸方向に等分された複数の区域（１２）の各区域の円柱側面に等間隔を隔てて円柱軸方向に複数の目盛線（８）引かれており、前記目盛線（８）の本数は各区域毎に異なる。また図５では各区域の境界線を図示している。各区域の目盛線（８）の本数は通常ピザを切り分ける必要が生じる個数に対応しており、例えば４本から１０本とすれば区域（１２）の数は７区域となる。また４個や８個など、ピザを略均等に切り分け易い個数に対応する目盛線（８）の区域は省略してもよい。また各区域の目盛線の内の１本は前記円盤刃（２）による切断方向から規定される２方向の内の１方向と一致している。各区域には対応する目盛線（８）の本数、即ち切り分け数と等しい数字が書かれている。また前記目盛線（８）は円柱軸方向に引かれた線である必要はなく、各区域の円柱側面に等間隔を隔てて配置されていれば円形などの印としてもよい。
本ピザカッターを用いてピザを均等に切り分けようとする際は、前記円盤刃（２）を下側としてピザカッターを垂直に立てた状態で、切り分けたい個数と一致した本数の目盛線（８）が引かれた区域（１２）の目盛線（８）のうちの１本の方向を使用者に対して正面に向け、そのまま円盤刃（２）をピザに押し当ててピザの中心を通る切り込みを入れ、次に現在正面を向いている目盛線（２）の１つ隣りの目盛線（２）の方向を正面に向け、前記同様にピザの中心を通る切り込みを入れ、これを繰り返して、図６に示すように、ピザ（９）の中心から伸びる放射状の切り込み（１０）を入れ、これを延長した仮想線に沿ってピザを円盤刃（２）で切断することで、ピザ（９）を略均等に切り分けることができる。
【符号の説明】
【００１０】    １    把持部
２    円盤刃
３    グリップ部
４    支持部
５    蓋
６    収納部
７    目盛駒
８    目盛線
９    ピザ
１０  切り込み
１１  跡
１２  区域
【図１】
2018126477.tif 000003
【図２】
2018126477.tif 000004
【図３】
2018126477.tif 000005
【図４】
2018126477.tif 000006
【図５】
2018126477.tif 000007
【図６】
2018126477.tif 000008